(57)【要約】【課題】ゴルフクラブヘッドのホーゼル用アダプタ及びゴルフクラブのヘッドとシャフトの連結構造を提供する。【解決手段】ゴルフクラブのヘッド１のホーゼル４に形成された挿入穴４ａの内周と挿入穴４ａに挿入されるゴルフクラブのシャフト２先端部の外周との隙間に挿入しシャフト２をヘッド１に固定するパイプ状のアダプタ７であって、該アダプタ７に、軸方向に沿って一端から他端に亘るスリット８を形成したことを特徴としている。【選択図】図１
0003129215.tif 000002
【実用新案登録請求の範囲】
【請求項１】
ゴルフクラブのヘッド（１）のホーゼル（４）に形成される挿入穴（４ａ）の内周と該挿入穴（４ａ）に挿入されるゴルフクラブのシャフト（２）先端部の外周との隙間に挿入しシャフト（２）をヘッド（１）に固定するパイプ状のアダプタ（７）であって、該アダプタ（７）に、軸方向に沿って一端から他端に亘るスリット（８）を形成したゴルフクラブヘッドのホーゼル用アダプタ。
【請求項２】
アダプタ（７）が可撓性を有する材料である請求項１のゴルフクラブヘッドのホーゼル用アダプタ。
【請求項３】
アダプタ（７）をアルミニウムで構成してなる請求項１又は２のゴルフクラブヘッドのホーゼル用アダプタ。
【請求項４】
アダプタ（７）の直径が一端から他端に至るまで略一定である請求項１，２又は３のゴルフクラブヘッドのホーゼル用アダプタ。
【請求項５】
アダプタ（７）のスリット（８）が直線状に形成されている請求項１，２，３又は４のゴルフクラブヘッドのホーゼル用アダプタ。
【請求項６】
アダプタ（７）外周に別のアダプタ（７）を重ね合わせて１つのアダプタ（７）を構成した請求項１，２，３，４又は５のゴルフクラブヘッドのホーゼル用アダプタ。
【請求項７】
請求項１，２，３，４、５又は６のいずれかに記載のゴルフクラブヘッドのホーゼル用アダプタ（７）をシャフト（２）先端に装着して、ヘッド（１）のホーゼル（４）に挿入し接着固定するとともに、別体で構成されたソケット（９）を該アダプタ（７）のグリップ（６）側に設けてなるゴルフクラブのヘッドとシャフトの連結構造。
【請求項８】
ソケット（９）をシャフト（２）のグリップ（６）方向に向かってテーパ状に形成してなる請求項７のゴルフクラブのヘッドとシャフトの連結構造。
【考案の詳細な説明】
【技術分野】
【０００１】
本考案は、ゴルフクラブヘッドのホーゼル用アダプタ及びゴルフクラブのヘッドとシャフトの連結構造に関する。
【背景技術】
【０００２】
ゴルフクラブのシャフトのクラブヘッド取付端（先端）側に挿入され、ゴルフクラブのヘッドのホーゼルに形成されたシャフト挿入穴とシャフト先端側に生じた隙間に挿入されることにより、ホーゼルにシャフト先端を確実に固定するパイプ状のアダプタであって、一端側より軸方向に沿ってスリットが形成されているものが公知である（例えば、特許文献１参照。）。
【０００３】
【特許文献１】特開平９−６６１２４号公報
【考案の開示】
【考案が解決しようとする課題】
【０００４】
しかし上記特許文献１のゴルフクラブヘッドのホーゼル用アダプタでは、スリットが一端側に形成されている一方で他端側には形成されていないため、他端側の径は拡大しない。このためシャフト先端の外径に応じて各別のアダプタを用意しなければならず、汎用性がないという欠点があった。また、アダプタの径をある程度拡大させるためには複数のスリットを設けなければならず、製造に手間がかかりコストも高くなってしまうという問題があった。
この考案は上記問題点を解決し、径の異なるシャフト又はホーゼルに適用可能なクラブヘッドのホーゼル用アダプタを提供するものである。
【課題を解決するための手段】
【０００５】
上記課題を解決するため本考案のゴルフクラブヘッドのホーゼル用アダプタは、第１に、ゴルフクラブのヘッド１のホーゼル４に形成された挿入穴４ａの内周と挿入穴４ａに挿入されるゴルフクラブのシャフト２先端部の外周との隙間に挿入しシャフト２をヘッド１に固定するパイプ状のアダプタ７であって、該アダプタ７に、軸方向に沿って一端から他端に亘るスリット８を形成したことを特徴としている。
【０００６】
第２に、アダプタ７が可撓性を有する材料であることを特徴としている。
【０００７】
第３に、アダプタ７をアルミニウムで構成してなることを特徴としている。
【０００８】
第４に、アダプタ７の直径が一端から他端に至るまで略一定であることを特徴としている。
【０００９】
第５に、アダプタ７のスリット８が直線状に形成されていることを特徴としている。
【００１０】
第６に、アダプタ７外周に別のアダプタ７を重ね合わせて１つのアダプタ７を構成したことを特徴としている。
【００１１】
また上記課題を解決するため本考案のゴルフクラブのヘッドとシャフトの連結構造は、第１に、請求項１，２，３，４、５又は６のいずれかに記載のゴルフクラブヘッドのホーゼル用アダプタ７をシャフト２先端に装着して、ヘッド１のホーゼル４に挿入し接着固定するとともに、別体で構成されたソケット９を該アダプタ７のグリップ６側に設けてなることを特徴としている。
【００１２】
第２に、ソケット９をシャフト２のグリップ６方向に向かってテーパ状に形成してなることを特徴としている。
【考案の効果】
【００１３】
以上のように構成される本考案のゴルフクラブヘッドのホーゼル用アダプタによれば、一端から他端に至るスリットが軸方向に形成されるため、シャフト先端の外径に応じてアダプタの径をより大きく拡大させることができる。このためアダプタを介してホーゼルに異なる径のシャフトを確実に固定することができる他、スリットを複数形成しなくてもアダプタ全体の径を拡大させることができるため、製造の手間が省かれコストを低く抑えることが可能になる。
【考案を実施するための最良の形態】
【００１４】
図１は、本考案のゴルフクラブヘッドのホーゼル用アダプタを適用したウッドの分解斜視図である。ウッドはヘッド１とシャフト２から構成されている。ヘッド１の前面側にはゴルフボールを打撃する金属材料等からなる打撃面を有するフェース３が形成され、上部にはシャフト２を取付けるホーゼル４が上方に向かって突設されている。シャフト２は、一端（先端）側が上記ホーゼルに形成された挿入穴４ａに挿入される一方、他端（基端）側にはグリップ６が設けられている。
【００１５】
シャフト２の先端部分の外径はホーゼル４の挿入穴４ａの内径と比較して小さくなっており、シャフト２先端を挿入穴４ａに挿入すると、シャフト２先端の外周と挿入穴４ａ内周とにより隙間が形成される。該隙間に図２に示すパイプ状のアダプタ７をスペーサ部材として挿入する。上記アダプタ７により、図３に示すようにガタがない状態でシャフト２先端がヘッド１のホーゼル４の挿入穴４ａに嵌め込まれ、シャフト２がヘッド１側に強固に固定される。
【００１６】
上記アダプタ７は、内径及び外径が全体に亘り略同一なパイプ形状の部材であり、軸方向に一端から他端に亘る直線状のスリット８が形成されている。そしてアダプタ７は、軸方向の一端から他端までの長さがホーゼル４の挿入穴４ａの深さと略同一で、ホーゼル４の挿入穴４ａにアダプタ７全体が過不足ない状態で嵌り込むように構成されている。また、本アダプタは、アルミニウムを用いて形成されるが、その他、繊維強化プラスチック，硬質ゴム，プラスチック樹脂，銅に代表される軟金属等の可撓性を有する材料を用いてもよい。
【００１７】
さらに、シャフト２のヘッド１への接続には、上記アダプタ７とともにアダプタ７とは別体のソケット９を用いる。ソケット９は、内径がシャフト２先端の外径と略同一なパイプ状部材であり、シャフト２先端が貫通している。ソケット９の外径は、シャフト２のグリップ６方向に向かってテーパ状に形成されており、外径が最も大きくなるヘッド１側の端部ではホーゼル４の開口端の外径と略同一の大きさになる。
【００１８】
また、ソケット９をシャフト２に取付ける際には、図１に示すように、シャフト２をソケット９、アダプタ７の順序で挿入する。そして、アダプタ７全体をホーゼル４の挿入穴４ａに挿入した後、ソケット９のヘッド１側の端部（下端部）がホーゼル４の開口端に当接する状態で、ソケット９をヘッド１やシャフト２に溶着等で固定する
【００１９】
上記構成のソケット９は、セルロイド等の加工が容易で且つハンマー等で叩いても割れることのない硬質のプラスチックを用いて形成され、ヘッド１とシャフト２の繋ぎ目を綺麗に見せるほか、インパクトの瞬間にかかる１ｔ以上の荷重を支える構成となっている。またセルロイドは時間の経過とともに収縮する特徴があるので、自然にシャフト２を固定することができる。
【００２０】
次に、ヘッド１とシャフト２の連結工程について説明する。まず、シャフト２にソケット９を嵌め込み、ハンマー等を用いてホーゼル４の挿入穴４ａの穴深さに対応した位置まで打ちこむ。そして、シャフト２先端部外周の接着面の塗装，汚れ，脂分を除去するためにヤスリをかける。またこの際、目的長さに応じてシャフト２を金ノコ等により切断し、その切断面をヤスリ掛けして滑らかにする場合もある。
【００２１】
次に、アダプタ７の内外周壁の汚れ，脂分を除去するためにヤスリをかける。そして、ホーゼル４の挿入穴４ａ内部の塗装，汚れ，脂分を除去するためにヤスリ掛けをするか又は溶剤を染み込ませたティッシュ等で拭い取る。ヘッド１のホーゼル４の挿入穴４ａ内部，アダプタ７の内外周壁，シャフト２先端に接着剤を満遍なく塗る。
【００２２】
次に、アダプタ７をシャフト２先端に嵌め込み、ヘッド１のホーゼル４の挿入穴４ａに挿入する。本実施例では９ｍｍの内径の挿入穴４ａに、８．５ｍｍの外径のシャフト２を挿入している。なお、シャフト２先端がヘッド１のホーゼル４穴に対してゆるい場合には、グラスビーズ（図示しない）を用いて固定する。
【００２３】
グラスビーズを併用した接着方法により、アルミニウム製の上記アダプタ７にグラスビーズが食い込むために、より高い接着強度を保持することができ、ヘッド１とシャフト２をより強固に連結させることができる。最後に、はみ出した接着剤を抜き取り、ヘッド１の向きがずれないように固定して、接着剤の硬化温度下で完全硬化を待ち、グリップ６を取付けて完成させる。
【００２４】
上記のように構成されるゴルフクラブのヘッド１とシャフト２の連結構造によれば、アダプタ７に形成されたスリット８やアダプタ７の材質の特性等により、アダプタ７の直径をシャフト２先端の外径に応じて全体に亘り容易に拡大させることができる。また、挿入穴４ａの内径がアダプタ７の外径よりも小さい場合であっても、スリット８幅の範囲でアダプタ７の直径を縮小させることができる。
【００２５】
このため、上記アダプタ７を用いることにより、ヘッド１のホーゼル４にシャフト２を固定する場合にシャフト２先端の外径やホーゼル４の挿入穴４ａの内径に対応させた専用のアダプタを各別に設けることなく、ホーゼル４にシャフト２を固定することが可能になり、上記アダプタ７の汎用性は高い。
【００２６】
また、従来はソケット９とアダプタ７を同一の材料で一体形成したものが主流であり、
シャフト径に応じて専用のソケット付きアダプタを用意する必要があった。一方、本考案ではアダプタ７とソケット９とが別体で構成されているため、シャフト先端の外径，ホーゼル４の挿入穴４ａの内径に対応させたアダプタ７を個別に用意する必要がない。
【００２７】
ちなみに、シャフト２にアダプタ７及びソケット９を取付ける前に、アダプタ７にソケット９を予め取付けておいてもよい。ソケット９の下端面にアダプタ７の上端縁に対応した溝を設け、この溝に接着剤を注入した後、アダプタ７の上端を嵌め込んでソケット９をアダプタ７に固着する。このようにして、アダプタ７にソケット９を事前に取付けることにより、シャフト２へのアダプタ７及びソケット９の取付けを容易に行うことができる。
【００２８】
なお、１つのアダプタ７を用いてもシャフト２先端の外周と挿入穴４ａ内周との間に隙間が生じる場合には、既にアダプタ７が装着されたシャフト２先端の外周に、さらに他のアダプタ７を重ね合わせて１つのアダプタ７を構成させ、シャフト２先端の外周と挿入穴４ａ内周との間に生じる隙間を埋めて、シャフト２をヘッド１のホーゼル４に固定する。
【００２９】
例えば、１０ｍｍ以上の挿入穴４ａに先端の直径が８．５ｍｍのシャフト２を挿入して接着固定する際には、アダプタ７を重ね合わせて使用する。アダプタ７の径が拡大・縮小することにより、このような使用方法が可能になり、本アダプタ７の汎用性がさらに高くなる。
【００３０】
以上、図示する例ではゴルフクラブのウッドについて説明したが、アイアン，パター及びウェッジのヘッド１とシャフト２の連結にも用いることができる。
【図面の簡単な説明】
【００３１】
【図１】ウッドの分解斜視図である。
【図２】アダプタの拡大斜視図である。
【図３】ヘッドとシャフトの連結構造を示す断面図である。
【符号の説明】
【００３２】
１    ヘッド
２    シャフト
４    ホーゼル
４ａ  挿入穴
６    グリップ
７    アダプタ
８    スリット
９    ソケット
【図１】
0003129215.tif 000003
【図２】
0003129215.tif 000004
【図３】
0003129215.tif 000005